(57)【要約】【課題】本発明の実施形態は樹脂被覆ロープの敷設を効率よく行うことができるロープ巻き掛け治具を提供することを目的とする。【解決手段】本発明の実施形態に係るロープ巻き掛け治具は、巻上機とメインロープとの間に配置され、巻上機のシーブ溝に適合する形状である凸部及び、前記凸部の反対側はメインロープを摺動させるためのロープ径に適合する形状であるＵ字部を、それぞれ少なくとも一部備えるロープ巻き掛け治具であって、前記凸部の少なくとも前記シーブ溝に接触する部分は、前記Ｕ字部よりも摩擦係数の高い部材により構成される。【選択図】図１
2015074544.tif 000002
【特許請求の範囲】
【請求項１】
巻上機とメインロープとの間に配置され、巻上機のシーブ溝に適合する形状である凸部及び、前記凸部の反対側はメインロープを摺動させるためのロープ径に適合する形状であるＵ字部を、それぞれ少なくとも一部備えるロープ巻き掛け治具であって、
前記凸部の少なくとも前記シーブ溝に接触する部分は、前記Ｕ字部よりも摩擦係数の高い部材により構成されることを特徴とするロープ巻き掛け治具。
【請求項２】
前記凸部は、ポリウレタン樹脂から成形されることを特徴とする請求項１に記載のロープ巻き掛け治具。
【請求項３】
前記Ｕ字部は、ナイロン樹脂、ポリアセタール樹脂、またはフッ素樹脂の少なくともいずれかを含むことを特徴とする請求項１に記載のロープ巻き掛け治具。
【請求項４】
メインロープの表面を摩擦係数の高い樹脂で被覆した樹脂被覆ロープを用いたエレベータの据付装置であって、
上段フレームと下段フレームとを有し、巻上機が配置されるマシンベッドと、
前記マシンベッドに備えられる巻上機の引き上げ機構と、
前記マシンベッドに備えられる前記メインロープを掴み、前記メインロープの位置を保持するロープ保持機構と、
前記巻上機のシーブ溝上であって、前記巻上機と前記メインロープとの接触範囲内に１つ又は複数配置される摺動部材と、
を備えることを特徴とするエレベータの据付装置。
【請求項５】
前記巻上機の引き上げ機構は、
前記マシンベッドの上段部及び下段部に設けられた１つ又は複数のボルト穴に取り付けられる１つ又は複数のジャッキアップボルト及びナットを有する構成であり、前記ジャッキアップボルト又は前記ナットの回転によって、前記マシンベッドの上段部又は下段部を上下方向に可動させることにより、前記巻上機の位置を上下方向に可動させることを特徴とする請求項４に記載のエレベータの据付装置。
【請求項６】
前記ロープ保持機構は、
前記マシンベッドの上段部又は下段部に備えられ、前記メインロープの軸を中心にして開閉可能である１つ又は複数のブラケットを有し、前記ブラケットを開閉することによって前記メインロープを挟み込み又は開放し、ロープ位置を任意の位置で保持することを特徴とする請求項４に記載のエレベータの据付装置。
【請求項７】
メインロープの表面を摩擦係数の高い樹脂で被覆した樹脂被覆ロープを用いたエレベータの据付方法であって、
前記メインロープとの摩擦係数が低い部材で成形された摺動部材を巻上機のシーブ溝に配置し、前記メインロープを前記摺動部材上で滑らせてエレベータの据付時の前記メインロープの引き回し作業を行うステップと、
前記引き回し作業終了後、前記巻上機が配置されるマシンベッドに備えられるジャッキアップボルトを用いて前記巻上機を持ち上げるステップと、
前記巻上機を持ち上げた後、前記マシンベッドに備えられるロープ保持機構によって前記メインロープの位置を保持するステップと、
前記メインロープの位置を保持したまま、前記ジャッキアップボルトを用いて、前記巻上機の位置を降ろすステップと、
前記巻上機を降ろし、前記巻上機と前記メインロープとの間にスペースができた際に、前記摺動部材を撤去するステップと、
前記摺動部材が撤去された後、前記ロープ保持機構を開放し、前記メインロープを前記巻上機のシーブ溝に接触させるステップと、
からなるエレベータの据付方法。
【発明の詳細な説明】
【技術分野】
【０００１】
本発明の実施形態は、樹脂被覆ロープの敷設を効率よく行うことができるロープ巻き掛け治具に関する。
【背景技術】
【０００２】
近年の中低層建物向けのエレベータについては、建築設計の自由度が大きく、省スペース化を図ることができるマシンルームレス（機械室なし）構造が一般的になりつつある。つまり、モータに直結する駆動シーブにメインロープを巻きかけ、メインロープの一端を昇降路上部に固定し、他端を乗りかご取り付けりことによって、乗りかごをつるべ式（トラクション式）に駆動するエレベータ構造が増えている。
【０００３】
トラクション式エレベータに適用されるメインロープとして、近年ではワイヤロープ等の坑張力部材の表面をポリウレタン等の耐摩擦性と高摩擦係数を有する樹脂材で被覆したロープ構造が提案されている。
【０００４】
この樹脂被覆ロープは、単体で表面に被覆が施された素線と、素線を撚って構成され個々にポリエチレン、ポリウレタン等からなる被覆１４が施されたストランドと、ストランドと同様に個々に被覆された素線１を撚って構成され、周囲をポリエチレン、ポリウレタン等の被覆材で覆われた芯綱及びロープ外周に設けられたポリウレタンからなる被覆樹脂により構成されている。
【０００５】
上記のような樹脂被覆ロープを用いた場合、摩擦係数が通常のワイヤロープに比べ高いため、エレベータのトラクション式エレベータにおいて必要なトラクション性能を得ることができる。
【先行技術文献】
【特許文献】
【０００６】
【特許文献１】特開２０１１−１５７１５８号公報
【発明の概要】
【発明が解決しようとする課題】
【０００７】
しかしながら、上記のような樹脂被覆ロープを用いた場合、高摩擦係数を有するがためにエレベータの据付時、特に巻上機に直結する駆動シーブへのロープ巻き掛け時には、作業性が悪化してしまう。
【０００８】
エレベータの据え付けにあたり、メインロープを効率よく備え付けるために、一般には乗りかごやカウンタウェイト等の昇降路内の主要な構造物を組み立てた後、メインロープをかご上シーブや巻上機に直結する駆動シーブ、カウンタウェイト上に取り付けられるシーブ等に巻き掛けていく。
【０００９】
メインロープの巻き掛けに関しては、上記のシーブに巻き掛けられるように引き廻しを行い、対象物への引き廻しが終わると、メインロープの両端を昇降路上部に固定する。
【００１０】
メインロープの固定後、乗りかごやカウンタウェイト等の吊り荷重を負荷する。メインロープを送り出すドラムに巻きかけられているメインロープを引き出しながら、巻上機に直結する駆動シーブや各シーブに巻きかけていく。
【００１１】
引き回しの際、各シーブは回転自由な構造になっているため、メインロープの引き回しは容易に行うことができるが、駆動シーブに関してはブレーキを備えたモータと一体であるため、回転することなく、駆動シーブの溝表面でメインロープを滑らせて引き回しを進める。
【００１２】
従来のようにワイヤロープをメインロープとして用いる場合、無負荷状態における駆動シーブの溝とメインロープの摩擦力は小さく引き回し作業には問題ないが、樹脂被覆ロープをメインロープとした場合、無負荷状態とした場合においても被覆樹脂と駆動シーブ溝表面とが凝着し、メインロープの引き回しに多大な力を要する。
【００１３】
また、引き回し時の摩擦力に起因して作業上の安全性が低下すると共に、樹脂表面が損傷を受ける可能性も増加する。
【００１４】
そこで、本発明の実施形態によれば、表面にポリウレタン等の高摩擦樹脂を設けた樹脂被覆ロープにおいて、据付時に生じる前記の課題に鑑みてなされたものであり、この樹脂被覆ロープを効率的に敷設可能とするロープ巻き掛け治具の提供を目的とする。
【課題を解決するための手段】
【００１５】
上記目的を達成するために、本発明の実施形態に係るロープ巻き掛け治具は、巻上機とメインロープとの間に配置され、巻上機のシーブ溝に適合する形状である凸部及び、前記凸部の反対側はメインロープを摺動させるためのロープ径に適合する形状であるＵ字部を、それぞれ少なくとも一部備えるロープ巻き掛け治具であって、前記凸部の少なくとも前記シーブ溝に接触する部分は、前記Ｕ字部よりも摩擦係数の高い部材により構成されることを特徴とする。
【図面の簡単な説明】
【００１６】
【図１】本発明の実施形態に係るエレベータの概要を示す概要図である。
【図２】本発明の実施形態に係るメインロープの断面図である。
【図３】本発明の実施形態に係るメインロープの引き回し作業を示す概要図である。
【図４】本発明の実施形態に係る樹脂被覆ロープ据付時の巻上機正面図である。
【図５】本発明の実施形態に係る摺動部材の単体構造を示す斜視図である。
【図６】本発明の実施形態に係るロープ保持機構の構成を示す概要図である。
【発明を実施するための形態】
【００１７】
以下、本発明の実施形態について図面を参照して説明する。
【００１８】
（実施形態）
図１は本発明の実施形態に係るエレベータの概要を示す概要図である。図２は、本発明の実施形態に係る樹脂被覆ロープの断面図である。図２は本発明の実施形態に係るメインロープの引き回し作業を示す概要図である。図３は本発明の実施形態に係る樹脂被覆ロープ据付時の巻上機正面図である。図４は本発明の実施形態に係る摺動部材の単体構造を示す斜視図である。
【００１９】
まず、図１を用いて、本実施形態に係るエレベータの概要を説明する。図１に示すように、昇降路１内には、その上部に機械室２を有する。機械室２に設置される巻上機（モータ）に直結する駆動シーブ３には乗りかご４及びカウンタウェイト５を吊り下げるためのメインロープ６が巻き掛けられている。メインロープ６はそれぞれかご上シーブ７を介して機械室２のマシンベッド等に固定される。メインロープ６の他方は、カウンタウェイトシーブ８を介して、機械室のマシンベッド等に固定される。なお、駆動シーブ３の駆動力は、直結されるモータ９によって供給される。
【００２０】
本実施形態に係るメインロープ６は、樹脂被覆ロープとなっている。これは、メインロープ６としてワイヤロープ等の抗張力部材の表面をポリウレタンのような耐摩耗性と高摩擦係数を有する樹脂材で被覆したものとなっている。
【００２１】
具体的には、図２のメインロープ６の断面図に示すように、樹脂被覆ロープ内部の坑張力部材である鋼製の素線９を撚り合わせたストランド１０を有する。このストランド１０が複数束となり、そのストランド１０群に対して、ポリウレタンやポリエチレン等からなる中間被覆材１１で覆われる。そして中間被覆材１１及びストランド１０群の最外周をポリウレタンやポリエチレン、ポリアミド等からなる樹脂材２１によって樹脂被覆を行う。
【００２２】
メインロープ６を樹脂被覆ロープとすることにより、駆動シーブ３とメインロープ６との間の摩擦力を高めることができ、巻上機等の機器の小型化を図ることができる。さらに従来のようにメインロープ６で要した潤滑グリスの補給を要しないため、保守作業場の手間も少なく、環境負荷も低減することができるものである。
【００２３】
次に、図３を用いてエレベータ据付の際におけるメインロープ６の引き回し作業について説明する。
【００２４】
メインロープ６の引き回し作業とは、エレベータの据付にあたり、例えば乗りかご４やカウンタウェイト５等の昇降路１内の主要な構造物を組みつけた後、各シーブを介しながら、昇降路１頂部にメインロープ６の両端部を取付固定し、乗りかご４やカウンタウェイト５等の荷重を負荷する。図３において、１２はメインロープ６の送り出しをするドラムであり、ドラム１２にはメインロープ６が巻かれている。
【００２５】
図３（ａ）のように、まずドラム１２に巻き掛けられているメインロープ６を引き出し、かご上シーブ７の下を通していく。次に図３（ｂ）のように、かご上シーブの７下を通したメインロープ６を駆動シーブ３に巻き掛ける。そして図３（ｃ）のように駆動シーブ３に巻き掛けたメインロープ６をカウンタウェイトシーブ８の下を通し、図３（ｄ）のように、そのメインロープ６端部を機械室２などの昇降路１頂部に取付固定する。またメインロープ６の他端も同様に、ドラム１２から取り出し、機械室２などの昇降路１頂部に取付固定する。
【００２６】
このとき、かご上シーブ７及びカウンタウェイトシーブ８は回転自由な構造であるため、メインロープ６の引き回し作業は容易に行うことができるが、駆動シーブ３はブレーキを備えたモータ９と一体一体構成となっているため、回転自由ではなく、メインロープ６は駆動シーブ３のシーブ溝上を滑らせて引き回しを進める。
【００２７】
本実施形態においては、図４に示す摺動部材１３をこの駆動シーブ３のシーブ溝上に取り付けることにより、樹脂被覆ロープであってもスムーズに引き回し作業を行えるようにしている。
【００２８】
以下、図４、図５を用いて本実施形態に係る摺動部材１３の構成等について説明する。図４は、本実施形態におけるメインロープ引き回しの際における駆動シーブの正面図である。図４に示すように、駆動シーブ３はモータ９に取り付けられることによってマシンベッド１４上に設置される。マシンベッド１４は上段部１４ａと下段部１４ｂとからなり、このマシンベッド上段部１４ａとマシンベッド下段部１４ｂとの間には、防振装置としての弾性材１５が複数配置されている。また、マシンベッド上段部１４ａ、下段部１４ｂとの間には、弾性材１５以外にジャッキアップボルト１６が備えられている。ジャッキアップボルト１６は、ボルトヘッド１６ａが上方となるようにマシンベッド上段部１４ａを貫通して取り付けられ、ジャッキアップボルト１６下端部はマシンベッド下段部１４ｂに取り付けられる。ジャッキアップボルト１６には、マシンベッド上段部１４ａを挟んでナット２０が取り付けられる。
【００２９】
また、図４に示すようにマシンベッド下段部１４ｂにはメインロープ６を保持するためのロープ保持機構１７が備えられている。
【００３０】
ロープ保持機構１７の構造は図６に示すように、ロープを挟み込むＵ字部を有するブラケット１７ａ、１７ｂを有し、このブラケット１７ａ、１７ｂを挟みボルト１８によって開閉させることでロープを挟み込んだり開放したりすることができる構成となっている。
【００３１】
また、駆動シーブ３とメインロープ６との間には、摺動部材１３が複数並んで配置されている。この摺動部材１３は駆動シーブ３とメインロープ６との接触角度に相当する範囲で配置される。さらにこの複数の摺動部材１３が駆動シーブ３のシーブ溝上から滑り落ちないように、支持材１９が摺動部材１３の両端を支えるように備え付けられている。支持材１９はマシンベッド１４に取り付けられるが、固定の是非は問わない。例えば、マシンベッド１４に支持材１９の底部形状に合致するへこみを持たせ、そのへこみに支持させるものとしても良いし、ブラケットやボルト等を用いて固定させるものとしてもよい。
【００３２】
なお、本実施形態においては、摺動部材１３が複数のピースとしているのは、メインロープ６の引き回し作業後の摺動部材１３撤去作業を容易にするためである。当然、複数ピースであることに限定はされず、一体構成として単体の摺動部材１３として構成されるものとしても良い。
【００３３】
次に、図５を用いて本実施形態に係る摺動部材１３の構成を説明する。図５（ａ）には、摺動部材１３の１ピースを示してある。摺動部材１３は、駆動シーブ３のシーブ溝に合致するような凸部１３ａをシーブ溝の数に一致するように有し、その反対の面側にはメインロープ６を摺動させるためロープ径に適合するＵ字部１３ｂをロープ本数だけ有している。
【００３４】
摺動部材１３は樹脂被覆ロープとの摺動性を確保するために、少なくとも樹脂被覆ロープと接触する部分に関してはナイロン樹脂やポリアセタール樹脂などから構成することが望ましい。樹脂被覆ロープを摺動させる溝側すなわちＵ字部１３ｂ側はフッ素樹脂等の摩擦係数の低い材質からなるものとし、一方で巻駆動シーブ３のシーブ溝に合致する側すなわち凸部１３ａ側はポリウレタンのような摩擦係数の高い材質でなるものとする。
【００３５】
上記のように、凸部１３ａとＵ字部１３ｂとの材質が異なって摺動部材１３が形成されるが、形成条件は特に限定しない。つまり、一体形成となる成形でもよいし（図５（ａ）に相当）、複数の部材が組み合わさって摺動部材１３を成形するものとしても良い。複数の部材が組み合わさってなる例示としては、図５（ｂ）に示すように、摺動部材１３の本体１３ｃの凸部１３ａに摩擦係数の高い材質を貼りつけたり、Ｕ字部１３ｂに摩擦係数の低い材質を貼りつけたりするなどして、それぞれの摩擦係数を調整する構成とすることも可能である。
【００３６】
また、摺動部材１３自体をポリウレタンのような摩擦係数の高い材質で成形させ、Ｕ字部１３ｂ側にフッ素樹脂等の摩擦係数の低い材質を貼りあわせる構成とすることも可能である。当然、それとは逆に摺動部材１３自体をフッ素樹脂等のような摩擦係数の低い材質で成形させ、凸部１３ａ側にポリウレタンのような摩擦係数の高い材質を貼りあわせる構成とすることも可能である。
【００３７】
次に、上記構成を用いて、エレベータの据付時におけるメインロープ６の引き回し動作について説明する。
【００３８】
既述のように、エレベータ据付時には最上階乗場等にてドラム１２に巻き掛けられたメインロープ６を各シーブ、駆動シーブ３などに巻き掛けられていく。その際、駆動シーブ３のシーブ溝に摺動部材１３を取り付けておく。これにより、駆動シーブ３にメインロープ６を巻き掛けて、カウンタウェイトシーブ８などにメインロープ６を引き回す際に、その摺動部材１３上を滑らせて作業を進める。そして、メインロープ６の引き回しが終わった後、摺動部材１３を駆動シーブ３から取り外す必要がある。
【００３９】
摺動部材１３の取り外し方法としては、マシンベッド１４に備えられたジャッキアップボルト１６やブラケット１７等を用いる。メインロープ６の引き回しが終わった後、作業員は、メインロープ６に乗りかご４及びカウンタウェイト５による張力を負荷させる前にジャッキアップボルト１６に備わるナット２０の操作により駆動シーブ３を持上げ、ロープ保持機構１７によって、メインロープ６を挟み込み、ロープ位置を固定させる。
【００４０】
そしてその後、ロープ保持機構１７でロープ位置を保持した状態で、再びナット２０を操作して駆動シーブ３を下すことにより、メインロープ６が駆動シーブ３から浮き上がるため、駆動シーブ３から摺動部材１３と支持材１９を容易に撤去することができる。
【００４１】
なお、本実施形態においては機械室２を有する場合について説明するが当然、機械室なしのエレベータの場合であっても適用可能である。
【００４２】
また、本実施形態においてはメインロープ６として樹脂被覆ロープを用いた場合について説明したが、メインロープ６の形状としては、断面丸型に限らず、例えば、メインロープの代わりにベルトタイプのものを用いたものについても同様に適用可能である。つまり、樹脂被覆がされているベルトに適用する場合であれば、ベルト形状にしたがった摺動部材の形状とすることで同様の効果を得ることができる。つまり、本実施形態における摺動部材１３のＵ字部１３ｂをベルト形状に応じた形状にし、さらに駆動シーブ３のシーブ溝の形状に合わせて凸部１３ａの形状を形成するものとすればよい。
【００４３】
当然、その他形状に対しても同様に適用可能である。
【符号の説明】
【００４４】
１…昇降路
２…機械室
３…駆動シーブ
４…乗りかご
５…カウンタウェイト
６…メインロープ
７…かご上シーブ
８…カウンタウェイトシーブ
９…モータ
１０…ストランド
１１…中間被覆材
１２…ドラム
１３…摺動部材
１４…マシンベッド
１５…弾性材
１６…ジャッキアップボルト
１７…ロープ保持機構
１８…挟みボルト
１９…支持材
２０…ナット
２１…樹脂材
２２…素線
【図１】
2015074544.tif 000003
【図２】
2015074544.tif 000004
【図３】
2015074544.tif 000005
【図４】
2015074544.tif 000006
【図５】
2015074544.tif 000007
【図６】
2015074544.tif 000008
【手続補正書】
【提出日】平成26年12月15日(2014.12.15)
【手続補正２】
【補正対象書類名】明細書
【補正対象項目名】００１４
【補正方法】変更
【補正の内容】
【００１４】
そこで、本発明の実施形態によれば、表面にポリウレタン等の高摩擦樹脂を設けた樹脂被覆ロープにおいて、据付時に生じる前記の課題に鑑みてなされたものであり、この樹脂被覆ロープを効率的に敷設可能とするエレベータの据付装置及び方法の提供を目的とする。
【手続補正３】
【補正対象書類名】明細書
【補正対象項目名】００１５
【補正方法】変更
【補正の内容】
【００１５】
上記目的を達成するために、本発明の実施形態に係るエレベータの据付装置は、メインロープの表面を摩擦係数の高い樹脂で被覆した樹脂被覆ロープを用いたエレベータの据付装置であって、上段フレームと下段フレームとを有し、巻上機が配置されるマシンベッドと、前記マシンベッドに備えられる巻上機の引き上げ機構と、前記マシンベッドに備えられる前記メインロープを掴み、前記メインロープの位置を保持するロープ保持機構と、前記巻上機のシーブ溝上であって、前記巻上機と前記メインロープとの接触範囲内に１つ又は複数配置される摺動部材とを備えることを特徴とする。
【手続補正４】
【補正対象書類名】特許請求の範囲
【補正対象項目名】全文
【補正方法】変更
【補正の内容】
【特許請求の範囲】
【請求項１】
メインロープの表面を摩擦係数の高い樹脂で被覆した樹脂被覆ロープを用いたエレベータの据付装置であって、
上段フレームと下段フレームとを有し、巻上機が配置されるマシンベッドと、
前記マシンベッドに備えられる巻上機の引き上げ機構と、
前記マシンベッドに備えられる前記メインロープを掴み、前記メインロープの位置を保持するロープ保持機構と、
前記巻上機のシーブ溝上であって、前記巻上機と前記メインロープとの接触範囲内に１つ又は複数配置される摺動部材と、
を備えることを特徴とするエレベータの据付装置。
【請求項２】
前記巻上機の引き上げ機構は、
前記マシンベッドの上段部及び下段部に設けられた１つ又は複数のボルト穴に取り付けられる１つ又は複数のジャッキアップボルト及びナットを有する構成であり、前記ジャッキアップボルト又は前記ナットの回転によって、前記マシンベッドの上段部又は下段部を上下方向に可動させることにより、前記巻上機の位置を上下方向に可動させることを特徴とする請求項１に記載のエレベータの据付装置。
【請求項３】
前記ロープ保持機構は、
前記マシンベッドの上段部又は下段部に備えられ、前記メインロープの軸を中心にして開閉可能である１つ又は複数のブラケットを有し、前記ブラケットを開閉することによって前記メインロープを挟み込み又は開放し、ロープ位置を任意の位置で保持することを特徴とする請求項１に記載のエレベータの据付装置。
【請求項４】
メインロープの表面を摩擦係数の高い樹脂で被覆した樹脂被覆ロープを用いたエレベータの据付方法であって、
前記メインロープとの摩擦係数が低い部材で成形された摺動部材を巻上機のシーブ溝に配置し、前記メインロープを前記摺動部材上で滑らせてエレベータの据付時の前記メインロープの引き回し作業を行うステップと、
前記引き回し作業終了後、前記巻上機が配置されるマシンベッドに備えられるジャッキアップボルトを用いて前記巻上機を持ち上げるステップと、
前記巻上機を持ち上げた後、前記マシンベッドに備えられるロープ保持機構によって前記メインロープの位置を保持するステップと、
前記メインロープの位置を保持したまま、前記ジャッキアップボルトを用いて、前記巻上機の位置を降ろすステップと、
前記巻上機を降ろし、前記巻上機と前記メインロープとの間にスペースができた際に、前記摺動部材を撤去するステップと、
前記摺動部材が撤去された後、前記ロープ保持機構を開放し、前記メインロープを前記巻上機のシーブ溝に接触させるステップと、
からなるエレベータの据付方法。